(57)【要約】      （修正有）【課題】横型ルーバーに相応しい消防隊進入口対応の外装装置を提供する。【解決手段】外装装置Ｌは、水平方向に配列された、少なくとも第１段のルーバー１０と、この下段の第２段のルーバー１１と、この第２段のルーバー１１の下段に配置される複数段のルーバー１２と、これら複数段のルーバー１２の更に下段に配置される最下段のルーバー１３を備え、前記第１段及び最下段のルーバー１０、１３が方立を介して建物の躯体側に固定されている一方、前記第２段及び複数段のルーバー１１、１２には、振れ止めロッド２が挿通されていると共に、前記第２段のルーバー１１は吊着装置３によって、吊着可能に取付ける吊下げ、且つ、吊外し可能にされ、前記複数段のルーバー１２は、連結アーム４により前記第２段のルーバー１１と共に連結され、前記吊着装置３から前記第２段のルーバー１１が外された場合に重畳可能になっている。【選択図】図２
2008266997.tif 000002
【特許請求の範囲】
【請求項１】
第１段のルーバーと、
この下段の第２段のルーバーと、
この第２段のルーバーの下段に配置される複数段のルーバーと、
これら複数段のルーバーの更に下段に配置される最下段のルーバーを備えると共に、
前記第１段及び最下段のルーバー間で固定され、且つ、前記第１段及び最下段のルーバー間に配置されている前記第２段及び複数段のルーバーに挿通される振れ止めロッドと、
前記第２段のルーバーを吊下げ及び吊外し可能に取付ける吊着装置と、
前記第２段及び複数段のルーバーをそれぞれ連結すると共に、前記第２段のルーバーが前記吊着装置により吊着されている場合に前記第２段及び複数段の各ルーバーを吊下げ可能とする連結アームとを備えたことを特徴とする外装装置。
【請求項２】
前記第１段のルーバーの下方と、前記重畳される第２段のルーバーの上方との間の空間は、少なくとも人が進入可能な開口が形成されることを特徴とする請求項１に記載の外装装置。
【請求項３】
前記第２段のルーバーの縦面に消防隊進入口マークが配置されていることを特徴とする請求項２に記載の外装装置。
【請求項４】
前記振れ止めロッド又は／及び前記振れ止めロッドが挿通される第２段及び複数段のルーバーの各孔に、すべり手段を介在させたことを特徴とする請求項１ないし請求項３のいずれかに記載の外装装置。
【請求項５】
前記第１段のルーバーの上方又は／及び前記最下段のルーバーの下方にもルーバーが配置され、且つ、前記各ルーバーは、略等間隔に配置されていることを特徴とする請求項１ないし請求項４のいずれかに記載の外装装置。
【発明の詳細な説明】
【技術分野】
【０００１】
本発明は、各ルーバーが鉛直方向に配置されてなる横型ルーバーから構成される外装装置に関する。
【背景技術】
【０００２】
建築物の構造、設備等に関しては、その遵守すべき基準が建築基準法等の法令に規定されており、その１つとして、例えば火災等の緊急時に消防隊が建物の外側から建物内に進入し易い場所に消防隊進入口を設けること等がある。
かかる消防隊進入口に相応しい個所が、建築物の意匠のポイントでもあり、ここに格子等の外装装置を取付ける場合には、その外装装置にも消防隊進入口を設ける必要がある。
このような要請に応えることができる技術として、火災等の非常時に窓から人が出入できるようにした開放型面格子がある。
かかる開放型面格子には、面格子が室外側に外辷り窓のようにスイングして、開口が形成されるタイプのもの、面格子がスライドして、開口が形成されるタイプのもの（特許文献１）がある。
さらに、面格子を構成する縦格子が、これを取付ける横格子から脱落して、開口が形成されるタイプのものがある（特許文献２）。
【特許文献１】特開平６−１９３３５８
【特許文献２】特開２００５−９８０８２
【発明の開示】
【発明が解決しようとする課題】
【０００３】
しかし、これらの開放型面格子は、専ら縦格子と横格子を組合わせ、格子（ルーバー）が水平方向に配列された「縦型ルーバー」のものであって、格子（ルーバー）が鉛直方向に配列された「横型ルーバー」からなる外装装置の場合には、参考になり難い。  
【０００４】
そこで、本願発明は、横型ルーバーに相応しい消防隊進入口対応の外装装置を提供することを目的とする。
【課題を解決するための手段】
【０００５】
上記課題を解決するため、第１段のルーバーと、この下段の第２段のルーバーと、この第２段のルーバーの下段に配置される複数段のルーバーと、これら複数段のルーバーの更に下段に配置される最下段のルーバーを備えると共に、前記第１段及び最下段のルーバー間で固定され、且つ、前記第１段及び最下段のルーバー間に配置されている前記第２段及び複数段のルーバーに挿通される振れ止めロッドと、前記第２段のルーバーを吊下げ及び吊外し可能に取付ける吊着装置と、前記第２段及び複数段のルーバーをそれぞれ連結すると共に、前記第２段のルーバーが前記吊着装置により吊着されている場合に前記第２段及び複数段の各ルーバーを吊下げ可能とする連結アームとを備えたことを特徴とする外装装置とした（請求項１に記載の発明）。
即ち、この外装装置によれば、１．通常時には、横型ルーバーの意匠であるが、非常時に前記吊着装置から前記第２段のルーバーが外された場合、ルーバーの自然な落下力を利用してスムースに、第１段のルーバーと第２段のルーバー間に開口を形成させることができる、２．各ルーバーを重畳させるだけであるので、スイングタイプ、スライドタイプのような、格子から開口を確保するために、開放させたルーバーを位置させるスペースが不要である、３．また、縦格子を脱落させるタイプの格子の場合には、元の格子への原状回復には手間がかかるが、本願発明の場合には、前記第２段のルーバーを吊着装置に吊着させるだけでよい。
【０００６】
上記発明において、前記第１段のルーバーの下方と、前記重畳される第２段のルーバーの上方との間の空間は、少なくとも人が進入可能な開口が形成されることを特徴とする外装装置とした（請求項２の発明）。
この開口が消防隊進入口となる。
【０００７】
上記発明において、前記第２段のルーバーの縦面に消防隊進入口マークが配置されていることを特徴とする外装装置とした（請求項３の発明）。
前記吊着装置から前記第２段のルーバーが外されて各ルーバーが重畳され、その開口により消防隊進入口が形成されても、消防隊進入口マークを確認することができる。
【０００８】
上記発明において、前記振れ止めロッド又は／及び前記振れ止めロッドが挿通される第２段及び複数段のルーバーの各孔に、すべり手段を介在させたことを特徴とする外装装置とした（請求項４の発明）。
前記振れ止めロッド又は／及び前記孔に対するすべり剤の塗布、樹脂製すべり材等の介入部材等からなるすべり手段を介在させることで、スムーズにルーバーを下降させ、また発音防止にもなる。
【０００９】
上記発明において、前記第１段のルーバーの上方又は／及び前記最下段のルーバーの下方にもルーバーが配置され、且つ、前記各ルーバーは、略等間隔に配置されていることを特徴とする外装装置とした（請求項５の発明）。
この構成により、建物全体に意匠的に統一された横型ルーバーを取付けることができ、建物の美観と建築基準法等の法令の遵守との調和を図ることができる。
【発明の効果】
【００１０】
本発明によれば、横型ルーバーに相応しい消防隊進入口対応の外装装置を提供することができる。
【発明を実施するための最良の形態】
【００１１】
本発明に係る外装装置の実施形態を図面に基いて説明する。
図１は実施形態に係る外装装置の通常時の正面図、図２（Ａ）は図１のイ−イ線矢視縦断面図、図２（Ｂ）はロ−ロ線矢視縦断面図、図３は図１のハ−ハ線矢視縦断面図、図４は建物の上階と下階の境界に取付けられる外装装置の取付説明図、図５は同横断面図、図６（Ａ）（Ｂ）及び図７は実施形態に係る外装装置の作用説明図である。
これらの各図において、同一の構成は同一の符号を付して重複した説明を省略する。
【００１２】
本発明に係る外装装置Ｌは、図１及び図２（Ａ）に示したように、複数段の格子（ルーバー）が鉛直方向に配列された「横型ルーバー」であって、少なくとも第１段のルーバー１０と、この下段の第２段のルーバー１１と、この第２段のルーバー１１の下段に配置される複数段のルーバー１２と、これら複数段のルーバー１２の更に下段に配置される最下段のルーバー１３を備え、前記第１段及び最下段のルーバー１０、１３が方立１４、１５（図３、図４参照）を介して建物の躯体１６側に固定されている一方、前記第１段及び最下段のルーバー１０、１３間に配置されている前記第２段及び複数段のルーバー１１、１２には、振れ止めロッド２が挿通されていると共に、前記第２段のルーバー１１は吊着装置３によって吊下げ、且つ、吊外し可能にされ、また前記複数段のルーバー１２は、連結アーム４により前記第２段のルーバー１１と共に連結され、前記吊着装置３から前記第２段のルーバー１１が外された場合に重畳可能になっている。
【００１３】
よって、通常時の外観は横型ルーバーの意匠であるが、非常時に前記吊着装置３から前記第２段のルーバー１１が外された場合、各ルーバー１１、１２はそれらの自然な落下力によりスムースに落下し、第１段のルーバー１０と第２段のルーバー１１間に開口ＬＯ（図６参照）を形成させることができ、消防隊進入口が形成される。
【００１４】
前記ルーバー１０〜１３は、図１〜図３に示したように略同一の構成により作られており、以下では前記ルーバー１０を他のルーバーに代表させて説明する。
前記ルーバー１０は長尺状のもので、左右の縦面１００、１０１と上下の横面１０２，１０３を備え、その断面形状は略横長の長方形であって、且つ、中空状の形材からなっている。前記縦面１００には凹状部１０４が形成され、ルーバー１０と他の部材とを接続させることができる接続部となっている。
即ち、前記凹状部１０４は、その開口の対向端に自由片１０４ａ、１０４ａが形成されており、前記ルーバー１０の場合、前記方立１４、１５に固定されているアングル１４０、１５０と接続させるためのボルト頭が配置されている。そして、このボルトに対し前記アングル１４０、１５０がナット締めされている。
なお、前記ルーバー１０の長尺方向の寸法は、任意に選択することができるが、この実施形態に係る外装装置Ｌでは、建物の外壁を化粧するための外装装置を想定するものであって、約２メールの寸法となっている。
【００１５】
前記ルーバー１０の上下の横面１０２、１０３には、図２（Ａ）及び図３に示したように、前記方立１４、１５の中心線上に沿って、且つ、平行な位置に前記振れ止めロッド２の各ロッド２０を挿通させるための孔１０５が設けられている。
【００１６】
なお、他のルーバーが前記ルーバー１０と異なる構成は次の通りである。
図１等に示したように、前記第２段のルーバー１１の略中央の縦面１０１に消防隊進入口マーク５が取り付けられている。この消防隊進入口マーク５は、前記吊着装置３から前記第２段のルーバー１１が外されて、このルーバー１１が複数のルーバー１２と共に重畳されても、それらの重畳を妨げることなく、また視認可能なように、取付片５０（図７参照）を介して縦面１０１の端部から離間させて取付けられている。
図２（Ａ）等に示したように、前記ルーバー１１、１２の各凹状部１１４、１２４には、前記連結アーム４が接続され、また図２（Ｂ）に示したように、略Ｚ状の振れ止め金具１４１が接続されている。
この振れ止め金具１４１は、そのＺ字の一辺が図３に図示のようにアングル１４０（アングル１５０側にも振れ止め金具を設ければアングル１５０）に沿って摺動するようになっている。
なお、本実施形態の外装装置Ｌでは、前記振れ止めロッド２により前記ルーバー１１、１２のスムースな昇降が確保されており、前記振れ止め金具１４１は補助的なものであって、必須の構成要素ではない。
【００１７】
図３に示したように、前記ルーバー１１の上横面１１２には、前記吊着装置３を構成するキャッチ受け３１（詳細は後述）が固定されている。
【００１８】
上記各ルーバー１０〜１３は略等間隔で、鉛直方向に配置されているが、その配置間隔は任意である。
また前記第１段のルーバー１０と最下段のルーバー１３間の高さ寸法は、前記複数段のルーバー１２が最下段のルーバー１３上に重畳された場合に、前記第１段のルーバー１０の下方と、前記第２段のルーバー１２の上方との間で、少なくとも人が進入可能な開口が形成される程度であればよい。
さらに、各ルーバーは、上記構成に限定されるものでもない。
【００１９】
前記振れ止めロッド２は、前記吊着装置３から前記第２段のルーバー１１が外された場合に、第２段及び複数段の各ルーバー１１、１２をスムースに落下させ、重畳させるものである。その他、通常時の外装装置Ｌにおいて、前記第２段及び複数段のルーバー１１、１２に作用する風等によるバタツキの防止、脱落防止、各ルーバー１１、１２を上げ下げする場合のガイド、さらに前記連結アーム４と共に、各ルーバー１１、１２の水平状態での配置位置を安定的なものにすること等である。
前記振れ止めロッド２は、図３に示したように、それぞれ２本のロッド２０が前記方立１４、１５の中心線上に沿うように、且つ、略平行な位置に配置され、前記各孔１０５、１１５、１２５に挿通されている。よって、前記振れ止めロッド２が開口ＬＯの妨げとはならない。
前記ロッド２０の各上端２００は第１段のルーバー１０の上横面１０２で止着され、下端２０１は最下段のルーバー１３の下横面１３３で止着されている（図２参照）。
【００２０】
前記ロッド２０の材質として、すべり摩擦を小さくするものを用いたり、前記孔１０５、１１５、１２５のすべり摩擦を小さくするように加工したり、またロッド２０や孔１０５、１１５、１２５に樹脂製すべり材を組み込んだり、すべり摩擦を小さくするすべり剤を塗布する等、すべり手段を介在させてもよい。
第２段及び複数段の各ルーバー１１、１２のスムースな昇降を助けたり、昇降の際の発音を抑えるためである。
なお、前記ロッド２０の横断面形状は、本実施形態の場合は「丸」であるが、その形状はどのようなものでもよく、またその本数、挿通位置（配置位置）に限定されるものではない。
【００２１】
前記吊着装置３は、前記第２段のルーバー１１を吊下げ、吊外し可能にするもので、図２及び図３に示したように、キャッチ３０とキャッチ受け３１からなり、このキャッチ受け３１が第２段のルーバー１１側に固定され、キャッチ３０が前記アングル１４０側に固定されている。
【００２２】
前記キャッチ３０は、前記アングル１４０に固定される本体３００とこの本体３００の軸３００ａに取付けられて回動可能なハンドル３０１と、前記キャッチ受け３１を係止させる方向に、前記ハンドル３０１を付勢させるためのバネ３０２からなっている。
前記ハンドル３０１は、フックの自由端３０１ａが躯体１６とは反対側に形成されており、その自由端３０１ａには前記軸３００ａと略同心円状のカーブが形成されている。そしてバネ３０２の付勢方向に抗して、軸３００ａを中心にそのハンドル３０１の上部を手前に倒すように操作される。
【００２３】
前記キャッチ受け３１は、第２段のルーバー１１の上横面１１２に固定されているキャッチ受け本体３１０と前記フックの自由端３０１ａが係止されるアーム３１１からなる。
【００２４】
前記キャッチ３０は、躯体側の前記アングル１４０に固定されているが、方立１４等でもよく、また躯体側に限られず前記ルーバー１０の下横面１０３に固定してもよい。また、前記キャッチ受け３１を前記アングル１４０側等に、前記キャッチ３０を第２段のルーバー１１側に固定するようにしてもよい。
【００２５】
前記連結アーム４は、前記第２段及び複数段のルーバー１１，１２をそれぞれ連結し、前記キャッチ受け３１が前記キャッチ３０に吊着されている場合に各ルーバー１１、１２を吊下げ可能とし、前記キャッチ３０から前記キャッチ受け３１が外された場合に、各ルーバー１１、１２を重畳可能とするもので、図２に示したように、上下段のルーバー間毎に配置される一対の上下アーム片４０、４１から構成されている。
即ち、図２及び図３に示したように、第２段ルーバー１１の凹状部１１４に固定されているＬ字金具４２の一端を挟むように、上アーム片４０の一端４００が回動自在に取付けられ、前記複数段のルーバー１２の第１ルーバー１２Ａの凹状部１２４に固定されているＬ字金具４２を挟むように下アーム片４１の他端４１１が回動自在に取付けられている。そして前記上アーム片４０の他端４０１と下アーム片４１の一端４１０が、軸を介して回動自在に取付けられている。
以下、同様に各段の複数段のルーバー１２（この実施形態では第２ルーバー１２Ｂと第３ルーバー１２Ｃ）も、それぞれ一対の上下アーム片４０、４１によって連結されている。
【００２６】
各上下アーム片４０、４１の具体的な構成は、例えば２枚の短冊板を対向させて組合わせて上アーム片４０とし、この２枚の短冊板の間に１枚の短冊板の一端を回動可能に取り付けてこれを下アーム片４１としもよく、その構成に限定されるものではない。
また、連結アーム４の主たる機能は、各ルーバー１１，１２の吊下げであるから、これと同様な機能を備えたもの、例えばチェーン、ベルト、紐等を用いてもよい。
【００２７】
前記方立１４、１５は、図４及び図５に示したように各上端がブラケット１７を介して躯体１６側（例えば建物ベランダの底面）のファスナ１８に固定されている。
【００２８】
上記のように構成された実施形態に係る外装装置Ｌは、建物外壁に取付けられる外装装置として使用されるものであって、例えば、建物のベランダに設置される。
そして、図４及び図５に図示されているように、建物全体において意匠的に統一された外装装置Ｌを取付けるためには、前記第１段のルーバー１０の上方又は／及び前記最下段のルーバー１３の下方にも前記各ルーバーと略同様なルーバーを、略等間隔に配置すればよい。この場合、建物の各階に取付けられている方立１４、１５は、図４に図示したように、ジョイントスリーブ１９により接続され、連続的な構成となっている。
【００２９】
次に、上記構成の外装装置Ｌの作用効果及び前記吊着装置３の操作方法を図６（Ａ）（Ｂ）及び図７に基づいて説明する。
図６（Ａ）は通常時の外装装置Ｌの正面図、図６（Ｂ）は開口が形成された外装装置Ｌの正面図、図７は同縦断面図である。
火災等の非常時に、建物の外壁側からガラス窓等を破って建物内部に進入する必要がある場合、前記消防隊進入口マーク５を目印に外装装置Ｌに至り、第１段のルーバー１０と第２段のルーバー１１間に配置されている前記キャッチ３０のハンドル３０１を手前に倒せばよい。
その結果、ハンドル３０１の自由端３０１ａとキャッチ受け３１のアーム３１１との係止が解除され、それと同時に第２段のルーバー１１及び複数段のルーバー１２が、前記振れ止めロッド２にガイドされて落下し、図７に示したように、最下段のルーバー１３上に順次積上げられ、開口ＬＯが形成される。
【００３０】
よって、次のような作用効果を奏することができる。
１．通常時には、横型ルーバーの意匠であるが、非常時には各ルーバー１１、１２の自然な落下力を利用してスムースに、第１段のルーバー１０と第２段のルーバー１１間に開口ＬＯを形成させることができる。
２．各ルーバー１１、１２を重畳させるだけであるので、スイングタイプ、スライドタイプのような、開口を確保した後のルーバーを位置させるスペースが不要であり、またルーバーが進入の妨げとなることはない。
３．元の通常時の横型ルーバーへの意匠の原状回復には、前記第２段のルーバー１１を吊着装置３に吊着させるだけでよく、手間がかからない。
４．前記吊着装置３から前記第２段のルーバー１１が外されて各ルーバーが重畳されても、建物の外側から消防隊進入口マーク５を視認することができる。
【００３１】
以上の実施形態では、建物外壁に取付けられる外装装置が想定されているが、その用途はこれに限定されるものではない。例えば、吊着装置３の配置位置を工夫することにより、防犯用の横型ルーバーとして使用することができる。
【図面の簡単な説明】
【００３２】
【図１】実施形態に係る外装装置の正面図、
【図２】（Ａ）図１のイーイ線矢視断面図、（Ｂ）図１のローロ線矢視断面図、
【図３】図１のハーハ線矢視断面図、
【図４】実施形態に係る外装装置の取付構造図、
【図５】実施形態に係る外装装置の取付構造図、
【図６】（Ａ）（Ｂ）  実施形態に係る外装装置の作用説明図、
【図７】同作用説明図。
【符号の説明】
【００３３】
Ｌ  外装装置
１０  第１段のルーバー                  １１  第２段のルーバー
１２  複数段のルーバー                  １３  最下段のルーバー
１４、１５  方立                        １６  建物の躯体
１００、１０１  左右の縦面
１０２、１０３  上下の横面
１０４、１１４、１２４  凹状部
１０４ａ、１０４ａ  自由片              １４０、１５０  アングル
１０５  １１５  １２５  孔
１４１  振れ止め金具
１３３    下横面
１７  ブラケット                        １８  ファスナ
１９  ジョイントスリーブ
２  振れ止めロッド
２０  ロッド                            ２００  上端
２０１  下端
３  吊着装置
３０  キャッチ                          ３１  キャッチ受け
３００  本体                            ３０１  ハンドル
３０２  バネ                            ３０１ａ  フックの自由端
３００ａ  軸
３１０  キャッチ受け本体                ３１１  アーム
４  連結アーム
４０、４１  上下アーム片                ４２  Ｌ字金具
４００  一端                            ４１１  他端
４０１  他端                            ４１０  一端
５  消防隊進入口マーク
５０  取付片
ＬＯ  開口
【図１】
2008266997.tif 000003
【図２】
2008266997.tif 000004
【図３】
2008266997.tif 000005
【図４】
2008266997.tif 000006
【図５】
2008266997.tif 000007
【図６】
2008266997.tif 000008
【図７】
2008266997.tif 000009